(57)【特許請求の範囲】
【請求項１】
吸込口と吹出口とを備え、同吹出口の上壁と下壁との間に板状の支柱を備え、同支柱に備えた支軸部により上下風向板の回動軸部が回動自在に軸支された空気調和機において、
前記回動軸部が、前記上下風向板の後端部に設けられ、
前記支軸部は、前記下壁の前端に隣接し、且つ、前記上下風向板が前記下壁の延長上に連続的に配置されるように前記回動軸部を軸支できる位置に備えられ、
前記支軸部の後部に、下端部を開放して前記支柱の上方に延びるスリットが形成されており、
前記スリットが、前記支軸部および前記支柱の前端部と平行に形成されてなることを特徴とする空気調和機。
【発明の詳細な説明】
【技術分野】
【０００１】
本発明は、空気調和機に関わり、より詳細には、吹出口の上壁と下壁との間の支柱に備えた支軸部に、上下風向板の回動軸部を回動自在に組み付ける時の作業性を良好にした構造に関する。
【背景技術】
【０００２】
従来の空気調和機は、吸込口から吸い込まれ熱交換器で冷媒と熱交換された調和空気が、送風ファンにより吹出口から被空調室に吹き出される構成になっていた（例えば、特許文献１参照）。
【０００３】
この空気調和機１００は、図５に示すように、吸込口１０１と吹出口１０４とを結ぶ空気通路に熱交換器１０２と送風ファン１０３とを備え、吸込口１０１から吸い込まれて熱交換器１０２で冷媒と熱交換されたのち、吹出口１０４から被空調室に吹き出される調和空気の吹き出し方向を上下方向に偏向させるため、吹出口１０４に、回動軸部１１１ａを中心に回動自在となっている前部の上下風向板１１１と、回動軸部１１４ａを中心に回動自在となっている後部の上下風向板（ディフューザ）１１４とを備えている。
【０００４】
後部の上下風向板１１４は、調和空気の吹出方向を上下方向の広範囲に偏向させる機能を有するとともに、吹出口１０４の下壁１０６の延長上に連続させるように配置されて、この下壁１０６を延長させる構成部材を兼ねている。
【０００５】
前部の上下風向板１１１に備えた回動軸部１１１ａは、吹出口１０４の上壁１０５から垂下され先端に支軸孔１１０を備えた支軸片１０９で軸支されており、また、後部の上下風向板１１４に備えた回動軸部１１４ａは、吹出口１０４の上壁１０５と下壁１０６とに接続された支柱１０７の下端部１０８から下部前方に突出するように設けられ、先端に支軸孔１１３を備えた支軸片１１２で軸支されている。
【０００６】
前部の上下風向板１１１に備えた回動軸部１１１ａは、支軸片１０９に備えた支軸孔１１０に組み付ける際、支軸片１０９を板厚方向に弾性変形させて支軸孔１１０に回動軸部１１１ａが挿入される構成になっている。また、後部の上下風向板１１４に備えた回動軸部１１４ａは、支軸片１１２に備えた支軸孔１１３に組み付ける際、支軸片１１２を板厚方向に弾性変形させて支軸孔１１３に回動軸部１１４ａが挿入される構成になっている。
【０００７】
支柱１０７の下端部１０８は、その前縁を吹出口１０４の下壁１０６の前端に寄せた位置に接続されており、また、支軸片１１２は、支柱１０７の下端部１０８の近傍から下部前方に延出された構成になっているが、後部の上下風向板１１４がその後端部に回動軸部１１４ａを備えているため、支柱１０７と支軸孔１１３との間隔が短い構成になっている。
【０００８】
そのため、後部の上下風向板１１４に備えた回動軸部１１４ａを支軸孔１１３に組み付ける際、支軸片１１２を板厚方向に弾性変形させることが困難であることから、支軸孔１１３に回動軸部１１４ａを挿入する作業性が良くないという問題点を有していた。
【先行技術文献】
【特許文献】
【０００９】
【特許文献１】特開２０１０−２２３４５３号公報
【発明の概要】
【発明が解決しようとする課題】
【００１０】
本発明は、上記問題点に鑑み、吹出口の上壁と下壁との間の支柱に備えた支軸部に、上下風向板の回動軸部を組み付ける時の作業性を良好にした空気調和機を提供することを目的とする。
【課題を解決するための手段】
【００１１】
上述した目的を達成できるように構成するため、本発明は以下に示す特徴を備えている。
【００１２】
吸込口と吹出口とを備え、同吹出口の上壁と下壁との間に板状の支柱を備え、同支柱に備えた支軸部により上下風向板の回動軸部が回動自在に軸支された空気調和機において、前記回動軸部が、前記上下風向板の後端部に設けられ、前記支軸部は、前記下壁の前端に隣接し、且つ、前記上下風向板が前記下壁の延長上に連続的に配置されるように前記回動軸部を軸支できる位置に備えられ、前記支軸部の後部に、下端部を開放して前記支柱の上方に延びるスリットが形成されており、前記スリットが、前記支軸部および前記支柱の前端部と平行に形成されてなることを特徴とする。
【発明の効果】
【００１５】
本発明によれば、吹出口の上壁と下壁との間の支柱に備えた支軸部に、上下風向板の回動軸部を回動自在に組み付ける時の作業性を良好にした空気調和機を提供できる。
【図面の簡単な説明】
【００１６】
【図１】本発明による空気調和機の説明図で、（Ａ）は外観斜視図であり、（Ｂ）は上下風向板を取り外した外観斜視図である。
【図２】本発明による空気調和機の説明図で、（Ａ）は断面図であり、（Ｂ）は要部斜視図であり、（Ｃ）は要部断面図である。
【図３】本発明による空気調和機の要部説明図で、（Ａ）は支柱に備えたスリットの一例を示す図であり、（Ｂ）はスリットの他の例を示す図である。
【図４】本発明による空気調和機の説明図で、（Ａ）は上下風向板（ディフューザ）の斜視図であり、（Ｂ）は上下風向板（ディフューザ）の要部斜視図である。
【図５】従来例による空気調和機の断面図である。
【発明を実施するための形態】
【００１７】
以下、本発明の実施の形態を、添付図面に基づいた実施例として詳細に説明する。
【００１８】
本発明による空気調和機は、図１（Ａ）および図１（Ｂ）と、図２とに示すように、空気調和機本体１の吸込口２と吹出口５とを結ぶ空気通路に設けられた熱交換器３によって、吸込口２から吸い込まれた空気が冷媒と熱交換されたのち、送風ファン４によって吹出口５に送出され、吹出口５から被空調室に吹き出されるようになっている。
【００１９】
吹出口５は、上壁５ａと下壁５ｂとに接続された複数の支柱６が設けられることで、熱交換器３によって冷媒と熱交換された温風あるいは冷風（調和空気）が流通する時の温度変化の影響で変形してしまわないように、強度が増強された構成になっている。
【００２０】
また、吹出口５には、回動軸部１０ａを備えた前部の上下風向板１０が回動自在に設けられるとともに、回動軸部１３ａを備えた後部の上下風向板１３が回動自在に設けられることで、調和空気が吹出口５を流通する時の上下方向の風向を広範囲に偏向できるようになっている。
【００２１】
支柱６は平板状に形成され、後部の上下風向板１３に備えた回動軸部１３ａを回動自在に軸支する支軸孔１２と、支軸孔１２を備えた支軸片１１とからなる支軸部を備えるとともに、回動軸部１３ａを支軸孔１２に挿入する時の作業性を良好にするため、支軸部を板厚方向に容易に弾性変形させるための後述するスリット７を備えている。
【００２２】
本発明の実施例においては、吹出口５の一部をなす後部の上下風向板（ディフューザ）１３が、その後端部に備えた回動軸部１３ａを、支軸孔１２を備えた支軸片１１からなる支柱６に備えた支軸部で容易に軸支することで回動自在とした構成について、以下に詳細に説明する。
【００２３】
なお、後部の上下風向板１３に備えた回動軸部１３ａは、図４（Ａ）および図４（Ｂ）に示すように、上下風向板１３を回動させるための回動軸からなる構成であって、支柱６に備えた支持部は、回動軸からなる回動軸部１３ａに対応する支軸孔１２と、この支軸孔１２を備えた支軸片１１とからなる構成として説明するが、この構成に限らず回動軸部１３ａの側に支軸孔を備え、この支軸孔に対応して支持部の側に回動軸を備えた構成であってもよい。
【００２４】
また、前部の上下風向板１０についても、回動軸部１０ａを所定の幅寸法で形成された支軸片８で容易に軸支できるようにすることで回動自在とした構成を、後部の上下風向板１３と同様に説明する。
【００２５】
前部の上下風向板１０は、吹出口５の上壁５ａから垂下された支軸片８によって、吹出口５の前部上位における上下方向の風向を偏向できるように支持されており、後部の上下風向板１３は、支柱６の前端下部から下方に延出された支軸片１１によって、吹出口５の後部下位における上下方向の風向を偏向できるように支持されている。このとき、支軸片１１は支柱６の前端上部と前端下部とを結ぶ仮想線より前方に延出している。
【００２６】
また、後部の上下風向板１３は、上下方向の風向を広範囲に偏向する機能を有するとともに、吹出口５の下壁５ｂの延長上に連続させるように配置されることで、この下壁５ｂを延長できる構成部材を兼ねている。
【００２７】
吹出口５の上壁５ａから垂下された支軸片８は、前部の上下風向板１０に備えた回動軸部１０ａを軸支する支軸孔９を先端に備えており、支柱６の前端下部から下方に延出された支軸片１１は、後部の上下風向板１３に備えた回動軸部１３ａを軸支する支軸孔１２を先端に備えている。
【００２８】
前部の上下風向板１０は、図１（Ａ）に示すように、その両側部と吹出口５の両壁部とに備えた図示しない凹凸状の枢支部Ａで回動自在に枢支されるとともに、長手方向の中間部に備えた複数の回動軸部１０ａが、この回動軸部１０ａに対応して吹出口５の上壁５ａから垂下され、先端に支軸孔９を備えた支軸片８からなる支軸部によって回動自在に軸支されている。
【００２９】
前部の上下風向板１０は、弾性変形させることによって長手方向が短寸法となるように撓ませることにより、凹凸状の枢支部Ａの組立作業を容易に行うことができる。
【００３０】
なお、凹凸状の枢支部Ａは、前部の上下風向板１０の両側部に備えた凹状の支軸部または凸状の回動軸部と、これら凹状の支軸部または凸状の回動軸部に対応して、吹出口５の両壁部に備えた凸状の回動軸部または凹状の支軸部とで構成されている。
【００３１】
前部の上下風向板１０の両側部が枢支部Ａで回動自在に枢支されたのち、前部の上下風向板１０の中間部における複数の回動軸部１０ａが、支軸孔９を先端に備えた支軸片８からなる支軸部で軸支される際、支軸片８の先端を板厚方向に弾性変形させることで回動軸部１０ａを支軸孔９に容易に挿入できるため、前部の上下風向板１０の回動軸部１０ａを支軸部で軸支する時の作業性が良好になる。
【００３２】
後部の上下風向板１３は、図１（Ａ）に示すように、その両側部と吹出口５の両壁部とに備えた図示しない凹凸状の枢支部Ｂで回動自在に枢支されるとともに、図３（Ａ）および図３（Ｂ）に示す長手方向の中間部に備えた複数の回動軸部１３ａが、図２（Ａ）乃至図２（Ｃ）に示すように、この回動軸部１３ａに対応して、支柱６の前端下部から下方に延出され支軸孔１２を先端に備えた支軸片１１からなる支軸部によって回動自在に軸支されている。
【００３３】
後部の上下風向板１３は、弾性変形させることによって長手方向が短寸法となるように撓ませることにより、凹凸状の枢支部Ｂの組立作業を容易に行うことができる。
【００３４】
なお、凹凸状の枢支部Ｂは、後部の上下風向板１３の両側部に備えた凹状の支軸部または凸状の回動軸部と、これら凹状の支軸部または凸状の回動軸部に対応して、吹出口５の両壁部に備えた凸状の回動軸部または凹状の支軸部とで構成されている。
【００３５】
支柱６は、支軸片１１が板厚方向に弾性変形できるように開放端を有するスリット７を備えた構成になっており、このスリット７は、図２（Ａ）乃至図２（Ｃ）に示すように、支軸片１１の後部に、下端部を開放して支柱６の上方に延びるように形成されている。このとき、スリット７は開放端から支柱６の前端上部と前端下部とを結ぶ仮想線より後方に延出している。
【００３６】
なお、スリット７は、下端部を開放して支軸片１１の後部に支柱６の上方に延びるように形成された構成に限らず、例えば図３（Ａ）に示すように、スリット７が支持孔１２の両側部から支柱６の後端部に向けて延びるように形成されることで、支軸片１１が板厚方向に弾性変形できる形状に形成された構成にしてもよい。
【００３７】
または、例えば図３（Ｂ）に示すように、スリット７が支持孔１２の一側部から支柱６の後端部に向けて延びるように形成されることで、支軸片１１が板厚方向に弾性変形できる形状に形成された構成にしてもよい。
【００３８】
後部の上下風向板１３の両側部が枢支部Ｂで回動自在に枢支されたのち、後部の上下風向板１３の中間部における複数の回動軸部１３ａが支軸片１１に備えた支軸孔１２で軸支される際、支柱６にスリット７が形成されたことにより、支軸孔１２を備えた支軸片１１の先端を板厚方向に弾性変形させることで回動軸部１３ａを容易に支軸孔１２に挿入できるようになるため、後部の上下風向板１３の後端部に備えた回動軸部１３ａを支軸孔１２に組み付ける時の作業性が良好になる。
【００３９】
以上説明したように、本発明は、吸込口２と吹出口５とを備え、吹出口５の上壁５ａと下壁５ｂとの間に支柱６を備え、支柱６に備えた支軸部により後部の上下風向板１３の回動軸部１３ａが回動自在に軸支された空気調和機において、回動軸部１３ａが後部の上下風向板１３の後端部に設けられるとともに、支軸部が支柱６の前端下部から下方に延出されて先端に支軸孔１２を備えた支軸片１１からなり、支軸片１１の後部に、下端部を開放して支柱６の上方に延びるスリット７が形成された構成にしている。
【００４０】
更に、スリット７が支軸片１１および支柱６の前端部と平行に形成されたことで、支軸片１１を支軸片８と同様に所定の幅寸法と所定の長さ寸法とを有した形状に形成できることから、回動軸部１３ａが後部の上下風向板１３の後端部に設けられて、支軸片１１に備えた支軸孔１２と、支柱６との間隔が近い構成になったとしても、支軸片１１を所定の力で板厚方向に弾性変形させることを可能にした構成にしている。
【００４１】
本発明の構成によれば、吹出口５の上壁５ａと下壁５ｂとの間に支柱６を備え、この支柱６に備えた支軸片１１からなる支軸部を板厚方向に弾性変形させることができるようにしたことで、後部の上下風向板１３の後端部に備えた回動軸部１３ａを支軸片１１に備えた支軸孔１２に容易に挿入できるようにして、後部の上下風向板１３の回動軸部１３ａを支軸部に組み付ける時の作業性を良好にした空気調和機を提供できる。
【符号の説明】
【００４２】
１  空気調和機
２  吸込口
３  熱交換器
４  送風ファン
５  吹出口
５ａ  上壁
５ｂ  下壁
６  支柱
７  スリット
８  支軸片
９  支軸孔
１０  前部の上下風向板
１０ａ  回動軸部
１１  支軸片
１２  支軸孔
１３  後部の上下風向板
１３ａ  回動軸部
Ａ，Ｂ  枢支部
【図１】
0005728935.tif 000002
【図２】
0005728935.tif 000003
【図３】
0005728935.tif 000004
【図４】
0005728935.tif 000005
【図５】
0005728935.tif 000006